(57)【要約】【課題】汎用性のあるマルチメモリーカードの同時挿入防止装置を提供する。【解決手段】マルチメディアカードリーダ装置の回路基板２に設けられたカードスロット２ａ，２ｂの前面にガイドプレート５の取付片５ｅを取付溝６に嵌合させ、取付片５ｃ，５ｄを取付部７，８にハンダ付けして前記ガイドプレート５を取付け、次にスットパー４ｃ，４ｄを設けたスライドプレート４の係合部４ａの突起４ａ’と係合部４ｂ，４ｂをそれぞれガイドプレート５のガイド溝５ａ，５ｂ，５ｂに係合させ、スライドプレート４とガイドプレート５に摺動自在に取付ける。【選択図】        図４
2004318275.tif 000002
【特許請求の範囲】
【請求項１】
複数のカードスロットを有するマルチメモリーカードリーダ装置、又はそのマルチメモリーカードリーダ装置を備えた電気機器において、１種類のメモリーカードが挿入された時に他のカードスロットの前面の全部または一部を塞ぐように偏位するスライドプレートをカードスロットの前面またはフロントパネルの背面に移動自在に設けたことを特徴とするメモリーカードの同時挿入防止装置。
【請求項２】
スライドプレートをストッパーと係合部を設けたものとし、ガイドプレートは前記係合部と係合するガイド溝と、カードスロットの前面又はフロントパネルの背面に固定するための取付片を設けたものであることを特徴とする請求項１記載のメモリーカードの同時挿入防止装置。
【発明の詳細な説明】
【０００１】
【発明の属する技術分野】
本発明は、スマートメディア、コンパクトフラッシュ（登録商標）、メモリースティック、ＳＤカード、ＭＭＣマイクロドライブなどの２種類以上の大きさの異なるカードスロットを有するマルチメモリーカードリーダ装置、又はそのマルチメモリーカードリーダ装置を備えた電気機器に関し、詳しくは１種類のカードを挿入した時、他のカードスロットにはカードを挿入できないようにしたメモリーカードの同時挿入防止装置に関するものである。
【０００２】
【従来の枝術】
周知のように、マルチメモリーカードリーダ装置は、各メモリーカード専用のカードスロットを複数並設したものであるが、２種類以上のメモリーカードを誤挿入すると、回路上対応できないか、回路が複雑になりコストが著しく上がる状況が発生していた。
【０００３】
そこで、２種類以上のメモリーカードを同時に挿入できないようにマルチメモリーカードリーダ装置の筐体の前面にスライドカバーを設ける方法を先に提案していた（特許文献１参照）。
【０００４】
しかし、スライドカバーを筐体の前面に設けたデザインは好ましいデザインではなく、また装置をモデルチェンジする場合、内部の回路は以前のものを流用する場合が多いが、筐体のデザイン変更と共にスライドカバーも変更しなければならないためコストがかかっていた。
【０００５】
【特許文献１】
実用新案登録第３０９１９３９号公報
【０００６】
【発明が解決しようとする課題】
そこで、本発明は、デザイン的にも勝れ、しかも製作の自由度に富む汎用性のあるマルチメモリーカードの同時挿入防止装置を提供することを課題とするものである。
【０００７】
【課題を解決するための手段】
本発明は、上記の課題を解決するためになされたもので、第１の発明は複数のカードスロットを有するマルチメモリーカードリーダ装置、又はそのマルチメモリーカードリーダ装置を備えた電気機器において、１種類のメモリーカードが挿入された時に他のカードスロットの前面の全部または一部を塞ぐように偏位するスライドプレートをカードスロットの前面またはフロントパネルの背面に移動自在に設けたことを特徴とするメモリーカードの同時挿入防止装置である。
【０００８】
第２の発明は、第１の発明におけるスライドプレートをストッパーと係合部を設けたものとし、ガイドプレートは前記係合部と係合しするガイド溝と、カードスロットの前面又はフロントパネルの背面に固定するための取付片を設けたものとしたことを特徴とするメモリーカードの同時挿入防止装置である。
【０００９】
【発明の実施の形態】
図１は、本発明の一実施例の分解斜視図で、１はマルチメモリーカードリーダ装置の上部筐体、２は各種スロット２ａ，２ｂ，２ｃ，２ｄ，２ｅを有する回路基板、３は下部筐体、４はスライドプレートである。
【００１０】
図２はスライドプレート、図３はガイドプレートを示す図で、（ａ）図は平面図、（ｂ）図は正面図である。図中４はスライドプレート、４ａは上方に突出する突起４ａ’を設けた係合部、４ｂ，４ｂは後方に突出した係合部、４ｃ，４ｄはストッパー、５は金属製ガイドプレート、５ａ，５ｂ，５ｂはガイド溝、５ｃ，５ｄ，５ｅは回路基板２への取付片である。
【００１１】
そして、上記スライドプレート４とガイドプレート５は、図４の拡大取付説明図に示すように、先ず上下に配置したカードスロット２ａ，２ｂの前面に、回路基板２に設けた取付片５ｅを取付溝６に嵌合させ、取付片５ｃ，５ｄを取付部７，８にハンダ付けして取付け、次にスライドプレート４の係合部４ａの突起４ａ’及び係合部４ｂ，４ｂをそれぞれガイドプレート５のガイド溝５ａ，５ｂ，５ｂに係合させ、スライドプレート４をガイドプレート５に摺動自在に取付ける。
【００１２】
上記実施例によれば、図５に示すようにカードスロット２ａに対応するメモリカードＡをカードスロット２ａに挿着したときにスライドプレート４はストッパー４ｃの斜部４ｃ’がメモリーカードＡに押されることによって左方向に移動する。するとストッパー４ｄがカードスロット２ｂの右端の前面の一部を塞ぐため、カードスロット２ｂにはメモリーカードを挿入することができなくなる。
【００１３】
また、逆にカードスロット２ｂにカードスロット２ｂに対応するメモリーカードＢ（図示せず）を挿着すると、ストッパー４ｄがメモリーカードＢによって押されてスライドプレート４は右方向に移動し、ストッパー４ｃがカードスロット２ａの左端前面を塞ぐのでメモリーカードＡをカードスロット２ａに挿着するのを防ぐようになる。
【００１４】
従って、一方のカードスロットにメモリーカードを挿着すると、スライドプレート４のストッパー４ｄまたは４ｃにより他方のカードスロットへのメモリーカードの挿着を防止するため、誤って２種類のメモリーカードを同時挿入することがない。
【００１５】
また、この実施例ではガイドプレート５を金属製とし、基板２の取付部７、８にハンダ付けし、カードスロット２ａの前面に設けたので、コネクタ端子２ａ’を静電気からガードする役割も兼ねる効果がある。
【００１６】
尚、上記実施例ではスライドプレート及びガイドプレートをカードスロットの前面に設けるようにしたが、マルチメモリーカードリーダ装置のフロントパネル（図示せず）の背面にガイドプレートを取付け、そのガイドプレートにスライドプレートを取付ける構造としてもよいことは勿論である。
【００１７】
【発明の効果】
以上、本発明によれば、カードスロットの前面又はフロントプレートの背面にスライドプレートを設ける構造とすることによって、筐体のデザイン変更の都度、メモリーカードの同時挿入防止のための機構の設計変更を強いることなく、又、筐体のデザイン変更の自由度に富み、開発コストが少なくて済むマルチメモリーカードの同時挿入防止装置を提供することができる。
【図面の簡単な説明】
【図１】本発明の一実施例を示す分解斜視図。
【図２】本発明の一実施例であるスライドプレートを示す図で、（ａ）は平面図、（ｂ）は正面図。
【図３】本発明の一実施例であるガイドプレートを示す図で、（ａ）は平面図、（ｂ）は正面図。
【図４】本発明の一実施例の拡大取付説明図。
【図５】本発明の一実施例の取付状態説明図。
【符号の説明】
１                              上部筒体
２                              回路基板
２ａ，２ｂ，２ｃ，２ｄ，２ｅ    カードスロット
２ａ’                          コネクタ端子
３                              下部筒体
４                              スライドプレート
４ａ，４ｂ                      係合部
４ａ’                          突起
４ｃ，４ｄ                      ストッパー
４ｃ’                          斜部
５                              ガイドプレート
５ａ，５ｂ                      ガイド溝
５ｃ，５ｄ，５ｅ                取付片
６                              取付溝
７，８                          取付部
【図１】
2004318275.tif 000003
【図２】
2004318275.tif 000004
【図３】
2004318275.tif 000005
【図４】
2004318275.tif 000006
【図５】
2004318275.tif 000007